(57)【要約】      （修正有）【課題】可撓性を有する蛇腹状の鋼管と、鋼管の外周に外嵌・固着される回動防止用樹脂部材とによる管体が、該管体の口径が変形せず正常な口径として維持することを可能とする。【解決手段】長尺で中空状の可撓性を有する鋼管１１と、上記鋼管の外周に外嵌・固着される所定幅の回動防止用樹脂部材１２とよりなり、鋼管１１と樹脂部材１２とは互いの押圧力が均衡維持するように動作される管体口径維持機構を介して固着され、管体の口径が変形なく成形される。【選択図】図１
2018202116.tif 000002
【特許請求の範囲】
【請求項１】
長尺で中空状の可撓性を有する鋼管と、上記鋼管の外周に外嵌・固着される所定幅の回動防止用の樹脂部材とよりなる配管用管体を、他部材と連携する固定金具類を介して配置されるスプリンクラー巻出し配管であって、
上記鋼管と上記樹脂部材とは、互いの押圧力が均衡維持するように動作する管体口径維持機構を介して固着され、上記鋼管の口径が潰れず変形なく成形されることを特徴とするスプリンクラー巻出し配管。
【請求項２】
上記管体口径維持機構が、上記鋼管の外周面側に配置されると共に、外周面側から押圧する管体押圧機構と、上記鋼管の内周面側に挿入・配置されると共に、進退自在とされ、かつ上記鋼管を内周面側から押圧する拡管押圧機構とを備え、
上記拡管押圧機構は、上記鋼管の中空孔内に内周面と摺り合うように挿入され、進退自在に挿通される芯金ガイド部と、上記芯金ガイド部と対向配置され、分離結合可能とされ、上記鋼管の中空孔内の内周面を押圧する拡管部と、上記芯金ガイド部と上記拡管部とに挿通され、上記芯金ガイド部と上記拡管部とに協働する芯金部とを備え、
上記芯金ガイド部の一方側に形成されたテーパー面と上記拡管部の一方側に形成されたテーパー面とが互いに噛み合わされ、芯金の進退動作に伴って上記拡管部が上記鋼管の中空孔内の内周面を押圧するように拡管動作されることを特徴とする請求項１記載のスプリンクラー巻出し配管。
【請求項３】
管体口径維持装置
長尺で中空状の可撓性を有する鋼管と、上記鋼管の外周に外嵌・固着される所定幅の回動防止用樹脂部材とよりなる管体を、他部材と連携する固定金具類を介して配置される管体であって、
上記鋼管と上記樹脂部材とは、互いの押圧力が均衡維持するように動作される管体口径維持機構を介して固着され、上記鋼管の口径が潰れず変形なく成形されることを特徴とする口径維持機構を備える管体形成装置。
【請求項４】
上記管体口径維持機構が、上記配管用管体の外周面側に配置されると共に、外周面側から押圧する管体押圧機構と、上記配管用管体の内周面側に挿入・配置されると共に、進退自在とされ、かつ上記配管用管体を内周面側から押圧する拡管押圧機構とを備え、
上記拡管押圧機構が、上記管体の中空孔内に内周面と摺り合うように挿入され、進退自在に挿通される芯金ガイド部と、上記芯金ガイド部と対向配置され、分離結合可能とされ、分離には上記管体の中空孔内の内周面を押圧する分割拡管部と、上記芯金ガイド部と上記分割拡管部とに挿通され、上記芯金ガイド部と上記分割拡管部とに協働する芯金部とを備え、
上記芯金ガイド部の一方側に形成されたテーパー面と上記分割拡管部の一方側に形成されたテーパー面とが互いに噛み合わされ、芯金の進退動作に伴って上記拡管部が上記鋼管の中空孔内の内周面を押圧するように拡管動作されることを特徴とする請求項３記載の口径維持機構を備える管体形成装置。
【発明の詳細な説明】
【発明の詳細な説明】
【技術分野】
【０００１】  この発明は、可撓性を有する蛇腹状の鋼管と鋼管の外周に外嵌・固着される回動防止用樹脂部材とよりなるスプリンクラー巻出し配管などの管体であって、この管体の口径が変形せず正常な口径として維持することが可能なスプリンクラー巻出し配管、及び、管体口径維持機構を備える管体成形装置に関する。
【背景技術】
【０００２】従来、スプリンクラー配管として使用されもの中に、本願特許出願人の特開平０７−３１７９６５号、特開平０８−１８２７７２号、特開２０１６−１９１４６４号などがある。
例えば、特許文献１として特開２０１６−１９１４６４号は、管体固定用の支持具として配管用などの管体の絶縁性を確保する共に、管体と回動防止具間の緩みを防止し、両者が充分な回転阻止力をもって押圧され、堅牢に固定保持することが可能とするために、管体と所定範囲の外周に外嵌される回転阻止力をもって押圧される樹脂製の回動防止具とを備えたものである。【０００３】しかしながら、鋼管の外周に樹脂部材を固着し保護カバーによって管体自体の絶縁性を確保ことはできるが、鋼管と樹脂部材の固着に問題であった。
すなわち、鋼管と樹脂部材の固着を強固にすると鋼管がつぶれ変形するため、製品の歩留まりが悪くなるという問題があり、これを解決する有効な手段は現在では全く見当たらない。
【先行技術文献】
【特許文献】
【０００４】
【特許文献１】特開２０１６−１９１４６４号公報
【０００５】
【特許文献２】特開２０１４−１１３６２５号公報
【発明の概要】
【発明が解決しようとする課題】
【０００６】  ところで、従来より鋼管の拡管手段がある。この拡管手段は、例えば特許文献２に示すように、マンドレルは最外周に設置される複数枚の分割ダイと、棒状のコーンと、コーンと嵌合されるジョーとなどから構成されており、分割ダイは８分割されてコーンも８角柱形状を有し、それぞれの分割ダイには内周側にＴ字型溝が形成されると共に、それぞれのジョーにはＴ字型ガイドが固定され、ジョーのＴ字型ガイドと分割ダイのＴ字型溝が互いに嵌合されるため、分割ダイの位置と姿勢が設定されるものである。
しかしながら、このように分割セグメントにより被拡管された拡管を行うものであるが、いずれも鋼管の口径がつぶれ変形を防止し、容易に管の真円度を確保するものではなかった。【０００７】本願特許出願人は、上記のような背景に基づいて鋭意研究したものであり、
配管用とされる鋼管と鋼管の外周に外嵌される樹脂部材とを、鋼管口径の変形せずに、かつ樹脂部材を堅牢に固着することが可能な管体変形防止について本願発明を完成した。【０００８】  この発明は、このような事情に基づいてなされたものであり、その目的とするところは、この発明は、このような事情に基づいてなされたものであり、その目的とするところは、配管用とされる鋼管と鋼管の外周に外嵌される樹脂部材とを、鋼管口径の変形せずに、かつ樹脂部材を堅牢に固着することを目的とした管体変形防止の提供にある。
【課題を解決するための手段】
【０００９】  この発明は、スプリンクラー巻出し配管として、請求項１記載のように、長尺で中空状の可撓性を有する鋼管と、上記鋼管の外周に外嵌・固着される所定幅の回動防止用の樹脂部材とよりなる配管用管体を、他部材と連携する固定金具類を介して配置されるスプリンクラー巻出し配管であって、上記鋼管と上記樹脂部材とは、互いの押圧力が均衡維持するように動作する管体口径維持機構を介して固着され、上記鋼管の口径が潰れず変形なく成形されることを特徴とする。
また、請求項２記載のように、上記管体口径維持機構が、上記鋼管の外周面側に配置されると共に、外周面側から押圧する管体押圧機構と、上記鋼管の内周面側に挿入・配置されると共に、進退自在とされ、かつ上記鋼管を内周面側から押圧する拡管押圧機構とを備え、上記拡管押圧機構は、上記鋼管の中空孔内に内周面と摺り合うように挿入され、進退自在に挿通される芯金ガイド部と、上記芯金ガイド部と対向配置され、分離結合可能とされ、上記鋼管の中空孔内の内周面を押圧する拡管部と、上記芯金ガイド部と上記拡管部とに挿通され、上記芯金ガイド部と上記拡管部とに協働する芯金部とを備え、上記芯金ガイド部の一方側に形成されたテーパー面と上記拡管部の一方側に形成されたテーパー面とが互いに噛み合わされ、芯金の進退動作に伴って上記拡管部が上記鋼管の中空孔内の内周面を押圧するように拡管動作されることを特徴とする。
また、管体口径維持機構を備える管体成形装置として、請求項３記載のように、長尺で中空状の可撓性を有する鋼管と、上記鋼管の外周に外嵌・固着される所定幅の回動防止用樹脂部材とよりなる管体を、他部材と連携する固定金具類を介して配置される管体であって、上記鋼管と上記樹脂部材とは、互いの押圧力が均衡維持するように動作される管体口径維持機構を介して固着され、上記鋼管の口径が潰れず変形なく成形されることを特徴とする。
また、請求項４記載のように、上記管体口径維持機構が、上記配管用管体の外周面側に配置されると共に、外周面側から押圧する管体押圧機構と、上記配管用管体の内周面側に挿入・配置されると共に、進退自在とされ、かつ上記配管用管体を内周面側から押圧する拡管押圧機構とを備え、上記拡管押圧機構が、上記管体の中空孔内に内周面と摺り合うように挿入され、進退自在に挿通される芯金ガイド部と、上記芯金ガイド部と対向配置され、分離結合可能とされ、分離には上記管体の中空孔内の内周面を押圧する分割拡管部と、上記芯金ガイド部と上記分割拡管部とに挿通され、上記芯金ガイド部と上記分割拡管部とに協働する芯金部とを備え、上記芯金ガイド部の一方側に形成されたテーパー面と上記分割拡管部の一方側に形成されたテーパー面とが互いに噛み合わされ、芯金の進退動作に伴って上記拡管部が上記鋼管の中空孔内の内周面を押圧するように拡管動作されることを特徴とする。
【発明の効果】
【００１０】この発明によれば、配管用とされる鋼管と鋼管の外周に外嵌される樹脂部材とを、鋼管口径が潰れず変形せずに、かつ樹脂部材を堅牢に固着することが可能であり、鋼管口径が正常に維持した配管を歩留まりよく容易に提供することができる。
【図面の簡単な説明】
【００１１】
【図１】この発明に係るスプリンクラー巻出し配管の図である。
【図２】図１のＡ−Ａ線断面図である。
【図３】図１におけるＢ−Ｂ線断面図である。
【図４】図１におけるＣ−Ｃ線断面図である。。
【図５】この発明に係る管愛口径維持機構を示す構成図である。
【図６】拡管部を示す断面図である。
【図７】拡管部の動作を示す模式図である。
【図８】芯金ガイド部を示す説明図である。
【図９】管体口径維持機構の動作を示す説明図である。
【発明を実施するための最良の形態】
【００１２】  以下、この発明の実施例を図面に基づいて説明する。
図１は、スプリンクラー巻出し配管として配管用管体１０にスプリンクラーヘッド１５を取り付けた部位を示している。
この部位は、天井Ｘの室内側にスプリンクラーヘッド１５が臨んでおり、天井Ｘの裏側にはこれに連続する配管用管体１０が接続されている。
配管用管体１０は、長尺で中空孔１０ａが開設された可撓性（蛇腹状）を有するもので、鋼管１１と、この鋼管１１の外周に外嵌・固着される所定幅の回動防止用の樹脂部材１２とより構成され、他部材（図示略）と連携する固定金具１６を介して配置されるものである。
固定金具１６は、樹脂部材１２に外嵌された回動防止としての作用を果たすもので、例えば、樹脂部材１２に被嵌される上部の湾曲部１６ａと、その下方に連続する下方部１６ｂと、これに連続する鍵部１６ｃと、開口部１６ｄとより形成されるもので、開口部１６ｄ内に支柱Ｙなどを挿通して取り付けることにより、配管用管体１０をスプリンクラー巻出し配管として配管接続する。
なお、この固定金具１６は、適宜設計変更が可能でありこの実施例のものに限定されない。
また、この固定金具１６には、図２に示すように、固着性を増すために樹脂部材１２の山谷部１２ａ、１２ｂに嵌合する長孔１６ｅが長手方向の適宜個所に設けられている。【００１３】  しかして、この配管用管体１０は、鋼管１１が長尺で中空孔１１ａが開設された可撓性を有しているので、単に剛性の鋼管とは異なり，若干の可撓性を有しているので屋内配管として好適である。
すなわち、剛性の鋼管は鋼管自体には撓み性がなく、また、角部などの箇所は一旦切断して接続し直す必要があるなどの問題がある。
しかしながら、この発明の場合には、可撓性（蛇腹状）の撓み性を活用しつつ配管用管体１０を切断なく配管することができる。
換言すれば、鋼管の硬度は、「３６０°曲がるチューブの硬度＞本発明の鋼管の硬度＜直管としての鋼管の硬度」とされ、本発明の蛇腹状の鋼管が選択される。【００１４】  また、樹脂部材１２は、例えば、ポリプロピレン樹脂などが選択され、溶融時に鋼管１１の外周に所定幅の回動防止用として外嵌・固着されるもので、これにより鋼管１１と樹脂部材１２とは強固に固着される。
すなわち、両者は、互いの接着が樹脂の溶融時の接着力によって強固に固着されるのであるが、互いの接着における固着力を増すために成形時の押圧力を付加する場合がある。この場合、配管用管体１０の鋼管１１と樹脂部材１２とに押圧力が掛かるため、鋼管１１が押圧力によって潰れ変形してしまうことがある。この鋼管１１の押圧力による潰れ変形を防ぐために、管体口径維持機構２０を次に説明する。【００１５】すなわち、管体口径維持機構２０は、鋼管１１の外周面側に配置されると共に、外周面側から鋼管１１に向かって押圧する管体押圧機構３０を備えている。また、鋼管１１の内周面側に鋼管１１の中空孔１１ａを介して挿入・配置されると共に、進退自在とされ、かつ鋼管１１を内周面側から押圧する拡管押圧機構４０とを備えている。
この管体口径維持機構２０が動作することによって、鋼管１１に対し成形時に押圧力を付加した場合にも、押圧力によって鋼管１１が潰れたり変形してしまうことがない。【００１６】  この管体口径維持機構２０のさらに具体的な構造を、図５によって説明する。
この拡管押圧機構４０は、芯金ガイド部５０と拡管部６０から構成され、芯金７０を芯金ガイド部５０と拡管部６０から拡管押圧機構４０に進退自在に挿通させる。
芯金ガイド部５０は、芯金ガイド部本体５０ａに中空部５０ｂを有しており、鋼管１１の中空孔１１ａ内において鋼管１１の内周面と摺り合うように挿入されると共に、鋼管１１に対し進退自在に挿通される。
一方、拡管部６０は、鋼管１１の中空孔１１ａ内において芯金ガイド部５０と対向するように配置されると共に、芯金ガイド部５０と分離結合可能とされている。
この拡管部６０は、拡管部本体６０ａは、鋼管１１の内周面と摺り合うように挿入されると共に、鋼管１１に対し進退自在に挿通される。
また、拡管部本体６０ａは、４分割される分割拡管部から構成され、鋼管１１の内周面を拡管動作機構（図示略）によって押圧する。図７は分割拡管部の動作を示す模式図である。【００１７】  拡管部６０の分割拡管部の１例を、図６と図７の模式図によって示す。
拡管部６０は４分割された拡管部本体６０ａ…よりなるので、外周に穿設されたＯリング溝６０ｈ…を介して一体に結合される（結合につては省略する）。この拡管部本体６０ａ…は、中空孔６０ｂを有しており、一方側を大通し孔６０ｃとし他方側を小通し孔６０ｄとしており、一方側の大通し孔６０ｃは、芯金ガイド部５０側とする。
また、中空孔６０ｂにおいて芯金ガイド部５０側の約半分は漸次下向するテーパー面６０ｅとされ、その他の約半分はテーパー面６０ｅから続く平面６０ｆとされている。
平面６０ｆの途中には、溝６０ｇが形成とされている。
このようにして、分割拡管部の結合された拡管部６０は、芯金ガイド部５０ｃが芯金８０の進退動作に伴って平面６０ｆに接合され、ボルト７０に達し固定されると押上げ力が働き、拡管部６０は鋼管１１の内周面に向けて押上げ力を付加することとなる。【００１８】  次に、管体口径維持機構を有する本発明の動作を、図８及び図９を用いて説明する。
ソケット１３を装着した鋼管１１を成形台にセットし、芯金ガイド部５０と芯金７０を準備し、拡管部６０を芯金ガイド部５０と芯金７０と対向するように準備し、管体押圧機構２０を準備する。
次に、芯金ガイド部５０を拡管部６０に向けて前進させ、芯金ガイド部５０が拡管部６０に挿入されると、芯金ガイド部５０のテーパー面５０ｂと拡管部６０のテーパー面６０ｂが接合される。
さらに、芯金ガイド部５０が前進すると、拡管部６０の平面６０ｃにいたる。この時、芯金ガイド部５０のテーパー面５０ｂは拡管部６０によって強く押圧される。
したがって、分割拡管部の結合された拡管部６０は、芯金ガイド部５０が芯金８０の進退動作に伴って平面６０ｃに接合され、ボルト７０に達し固定されると、押上げ力が働き、拡管部６０は鋼管１１の内周面に向けて押上げ力を付加することとなる。【００１９】  このように、本実施例はスプリンクラー巻出し配管に適応した配管用鋼管と鋼管の外周に外嵌される樹脂部材であって、鋼管口径が潰れず変形せずに、かつ樹脂部材を堅牢に固着することが可能であり、鋼管口径が正常に維持した配管を歩留まりよく容易に提供することができる。【００２０】  ただし、スプリンクラー巻出し配管に適応した場合のみならず、その他の配管用鋼管にも適用可能である。すなわち、本実施例の符号及び図面などを援用して説明する。
配管用鋼管に対する管体口径維持装置において、長尺で中空状の可撓性を有する鋼管と、この鋼管の外周に外嵌・固着される所定幅の回動防止用樹脂部材とよりなる管体を、鋼管と樹脂部材とは互いの押圧力が均衡維持するように動作される管体口径維持機構を介して固着され、鋼管の口径が潰れず変形なく成形されることを特徴とする口径維持機構を備える管体形成装置である。
さらに具体的には、管体口径維持機構が、配管用管体の外周面側に配置されると共に、外周面側から押圧する管体押圧機構と、配管用管体の内周面側に挿入・配置されると共に、進退自在とされ、かつ配管用管体を内周面側から押圧する拡管押圧機構とを備え、拡管押圧機構が、管体の中空孔内に内周面と摺り合うように挿入され、進退自在に挿通される芯金ガイド部と、芯金ガイド部と対向配置され、分離結合可能とされ、分離には管体の中空孔内の内周面を押圧する分割拡管部と、芯金ガイド部と分割拡管部とに挿通され、芯金ガイド部と分割拡管部とに協働する芯金部とを備え、芯金ガイド部の一方側に形成されたテーパー面と分割拡管部の一方側に形成されたテーパー面とが互いに噛み合わされ、芯金の進退動作に伴って拡管部が鋼管の中空孔内の内周面を押圧するように拡管動作される。  これにより、スプリンクラー巻出し配管に適応した場合のみならず、あらゆる管体に適応可能である。
【符号の説明】
【００２１】Ｘ            天井
Ｙ            支柱
１０          配管用管体
１０ａ        中空孔
１１          鋼管
１１ａ        山部
１１ｂ        谷部
１２          樹脂部材
１２ａ        山部
１２ｂ        谷部
１３          ソケット
１４          ナット
１５          スプリンクーヘッド
１６          固定金具
１６ａ        固定金具本体
１６ｂ        湾曲部
１６ｃ        下方部
１６ｄ        鍵部
１６ｅ        開口部
２０          管体口径維持機構
３０          管体押圧機構
４０          拡管押圧機構
５０          芯金ガイド部
５０ａ        芯金ガイド部本体
５０ｂ        中空孔
５０ｃ        テーパー面
６０          拡管部
６０ａ        拡管部本体
６０ｂ        中空孔
６０ｃ        大通し孔
６０ｄ        小通し孔
６０ｅ        テーパー面
６０ｆ        平面
６０ｇ        溝
６０ｈ        Ｏリング溝
７０          ボルト
８０          芯金
【図１】
2018202116.tif 000003
【図２】
2018202116.tif 000004
【図３】
2018202116.tif 000005
【図４】
2018202116.tif 000006
【図５】
2018202116.tif 000007
【図６】
2018202116.tif 000008
【図７】
2018202116.tif 000009
【図８】
2018202116.tif 000010
【図９】
2018202116.tif 000011